(57)【要約】【課題】簡単な構成によって媒体がプラテンから浮き上がることを防止して、媒体が途中で厚さの変化するものであっても、また、媒体が通帳であって折り目部分の腰が強いものであっても、印字を安定して行うことができ、騒音の発生や印字品質の低下を確実に防止することができるようにする。【解決手段】媒体１８の搬送方向と直交する方向に移動して前記媒体１８上に印字を行う印字ヘッド１５と、該印字ヘッド１５とともに移動し、前記媒体１８の上面に接触して前記印字ヘッド１５と媒体１８との間隔を保つリボンガイド１６と、前記印字ヘッド１５に対して上下動し、前記媒体１８を下方から前記リボンガイド１６に押し付けるプラテン１７と、媒体搬送路の上側ガイド及び下側ガイドとを有するプリンタであって、前記下側ガイドは、前記プラテン１７側の端部近傍に上方に突出する突起部を備える。【選択図】          図１
2005047075.tif 000002
【特許請求の範囲】
【請求項１】
（ａ）媒体の搬送方向と直交する方向に移動して前記媒体上に印字を行う印字ヘッドと、
（ｂ）該印字ヘッドとともに移動し、前記媒体の上面に接触して前記印字ヘッドと媒体との間隔を保つリボンガイドと、
（ｃ）前記印字ヘッドに対して上下動し、前記媒体を下方から前記リボンガイドに押し付けるプラテンと、
（ｄ）媒体搬送路の上側ガイド及び下側ガイドとを有するプリンタであって、
（ｅ）前記下側ガイドは、前記プラテン側の端部近傍に上方に突出する突起部を備えることを特徴とするプリンタ。
【請求項２】
前記突起部は、前記下側ガイドと一体的に形成される請求項１に記載のプリンタ。
【請求項３】
前記突起部は、前記下側ガイドと別個に形成されて該下側ガイドに取り付けられる請求項１に記載のプリンタ。
【請求項４】
前記突起部は、前記媒体の搬送方向と直交する方向に延在するように配設される請求項２又は３に記載のプリンタ。
【請求項５】
前記突起部は、前記媒体の搬送方向と直交する方向に間隔を空けて配設される請求項２又は３に記載のプリンタ。
【請求項６】
前記突起部は、前記媒体の搬送方向に関して前記印字ヘッドの両側に配設される請求項１〜５のいずれか１項に記載のプリンタ。
【発明の詳細な説明】
【０００１】
【発明の属する技術分野】
本発明は、プリンタに関するものである。
【０００２】
【従来の技術】
従来、銀行、郵便局、信用金庫等の金融機関においては、預金通帳等の通帳に記帳するために通帳記帳機等のプリンタが使用されている（例えば、特許文献１参照。）。該プリンタにおいては、媒体としての通帳の所定位置に印字して記帳するために、挿入口から通帳記帳機に挿入された通帳を搬送路に配設された搬送ローラ等のローラによって印字部まで搬送する。ここで、該印字部は、印字ヘッド、搬送路を挟んで前記印字ヘッドに対向するプラテン、及び、通帳の上面をガイドするガイド部材を有する。なお、該ガイド部材は印字ヘッドに取り付けられている。そして、通帳が印字部に到達すると、プラテンが上昇して通帳の下面を支持し、通帳の上面をガイド部材に押し付けるようになっている。これにより、通帳はガイド部材とプラテンとに挟まれた状態となり、通帳の上面と印字ヘッドとの間隔が所定距離に保持されるので、印字ヘッドによる通帳への印字が安定して行われる。
【０００３】
ところで、通帳は開いた状態で通帳記帳機に挿入されるが、開いたページによって厚さが異なってしまう。例えば、最初のページを開いた状態で通帳記帳機に挿入された通帳の場合、搬送方向に関する前半分は厚さが薄いが、折り目以降、すなわち、後半分は厚さが厚くなる。一方、最終のページを開いた状態で通帳記帳機に挿入された通帳の場合、搬送方向に関する前半分は厚さが厚いが、折り目以降、すなわち、後半分は厚さが薄くなる。そのため、プラテンが通帳の下面を支持する高さが一定だと、前述された厚さの変化に対応することができなくなってしまう。そこで、前記プラテンは、コイルスプリング等から成るばね部材を介して支持され、該ばね部材の弾性力によって上方向に付勢されて通帳の下面に押し付けられるようになっている。これにより、プラテンが通帳の下面を支持する高さは、通帳の厚さの変化を吸収することができるようになっている。
【０００４】
【特許文献１】
実用新案登録第２５２５９０６号公報
【０００５】
【発明が解決しようとする課題】
しかしながら、前記従来のプリンタにおいては、最初のページを開いた状態で通帳記帳機に挿入された通帳の折り目部分がプラテンの手前側端縁に当接する際に、プラテンが押し下げられ、厚さが薄い前半分がプラテンから浮き上がって、いわゆる、空打現象が生じ、空打音のような印字に伴う騒音が発生したり、印字が薄くなったりすることがある。
【０００６】
図２は従来のプリンタにおける通帳の浮き上がる状態を示す図である。
【０００７】
図において、１０１は預金通帳等の通帳であり、最初のページを開いた状態でプリンタとしての通帳記帳機に挿入され、手前側媒体搬送路１０２及び奥側媒体搬送路１０３内を搬送される。ここで、前記手前側媒体搬送路１０２には、上側ガイド１０２ａに形成された孔（あな）部から手前側媒体搬送路１０２内に外周部が突出するように搬送ローラ１０４が配設され、下側ガイド１０２ｂに形成された孔部から媒体搬送路１０２内に外周部が突出するようにプレッシャローラ１０５が配設されている。また、前記奥側媒体搬送路１０３には、上側ガイド１０３ａに形成された孔部から奥側媒体搬送路１０３内に外周部が突出するように搬送ローラ１０４が配設され、下側ガイド１０３ｂに形成された孔部から奥側媒体搬送路１０３内に外周部が突出するようにプレッシャローラ１０５が配設されている。なお、前記通帳１０１の搬送方向に関する前半分１０１ｂは厚さが薄く、搬送方向に関する後半分１０１ａは厚さが厚くなっている。
【０００８】
まず、通帳１０１が手前側媒体搬送路１０２内に挿入されると、図示されない搬送用駆動源によって搬送ローラ１０４が回転させられ、前記通帳１０１は、搬送ローラ１０４とプレッシャローラ１０５とによって上下から挟持されることによって、手前側媒体搬送路１０２内を印字ヘッド１０６に向けて搬送される。そして、通帳１０１の前半分１０１ｂの印字箇所が前記印字ヘッド１０６の先端部の真下に到達すると、図示されない駆動装置によってプラテン１０８が上昇させられる。これにより、プラテン１０８が通帳１０１の前半分１０１ｂを上方に押し上げるので、該前半分１０１ｂの上面は、プラテン１０８によって前記印字ヘッド１０６の先端部に取り付けられたリボンガイド１０７の下面に押し付けられる。このように、プラテン１０８とリボンガイド１０７との間に通帳１０１の前半分１０１ｂを挟み込むことによって、該前半分１０１ｂの上面と印字ヘッド１０６の先端部との間隔が印字に適した所定距離に保持される。そのため、印字ヘッド１０６による通帳１０１の前半分１０１ｂへの印字が安定して行われる。
【０００９】
ところが、改行等のために通帳１０１が更に奥の方向（図における左方向）に向けて搬送され、通帳１０１における前半分１０１ｂと後半分１０１ａとの境界部分、すなわち、通帳の折り目部分が、図に示されるように、プラテン１０８の前端縁に到達すると、後半分１０１ａが前半分１０１ｂよりも厚いので、前記後半分１０１ａの前端、すなわち、折り目側端がリボンガイド１０７及びプラテン１０８の手前側（図における右側）端縁に当接する。
【００１０】
ここで、リボンガイド１０７は、印字ヘッド１０６の先端部に取り付けられ、上方向に移動しないようになっている。そのため、後半分１０１ａの折り目側端は、リボンガイド１０７から図における矢印ａで示されるような方向の力を受けて、下方に押し下げられる。これにより、プラテン１０８の手前側端縁に接触した点を中心として、図における矢印ｂで示されるような方向の回転モーメントが通帳１０１に発生する。その結果、通帳１０１の前半分１０１ｂにおける折り目近傍部分が、図における矢印ｃで示されるような方向の力を受けて、プラテン１０８の上面から浮き上がってしまう。そして、このようにプラテン１０８の上面から浮き上がった状態の前半分１０１ｂに印字が行われると、空打現象が生じ、空打音のような印字に伴う騒音が発生したり、印字が薄くなって印字品質が低下したりしてしまう。
【００１１】
また、前記通帳１０１が新品のものであってページを優しく開いた状態で通帳記帳機に挿入された場合、通帳１０１の折り目部分の腰が強いので、側面から見た折り目部分はＶ字状となり、通帳１０１の前半分１０１ｂにおける折り目近傍部分は弧を描くような形状となっている。そのため、該折り目部分がプラテン１０８の前端縁に到達すると、通帳１０１の前半分１０１ｂにおける折り目近傍部分がプラテン１０８の上面から浮き上がってしまう。そして、該プラテン１０８の上面から浮き上がった状態の前半分１０１ｂに印字が行われると、空打現象が生じ、空打音のような印字に伴う騒音が発生したり、印字が薄くなって印字品質が低下したりしてしまう。
【００１２】
本発明は、前記従来のプリンタの問題点を解決して、簡単な構成によって媒体がプラテンから浮き上がることを防止して、媒体が途中で厚さの変化するものであっても、また、媒体が通帳であって折り目部分の腰が強いものであっても、印字を安定して行うことができ、騒音の発生や印字品質の低下を確実に防止することができるプリンタを提供することを目的とする。
【００１３】
【課題を解決するための手段】
そのために、本発明のプリンタにおいては、媒体の搬送方向と直交する方向に移動して前記媒体上に印字を行う印字ヘッドと、該印字ヘッドとともに移動し、前記媒体の上面に接触して前記印字ヘッドと媒体との間隔を保つリボンガイドと、前記印字ヘッドに対して上下動し、前記媒体を下方から前記リボンガイドに押し付けるプラテンと、媒体搬送路の上側ガイド及び下側ガイドとを有するプリンタであって、前記下側ガイドは、前記プラテン側の端部近傍に上方に突出する突起部を備える。
【００１４】
本発明の他のプリンタにおいては、さらに、前記突起部は、前記下側ガイドと一体的に形成される。
【００１５】
本発明の更に他のプリンタにおいては、さらに、前記突起部は、前記下側ガイドと別個に形成されて該下側ガイドに取り付けられる。
【００１６】
本発明の更に他のプリンタにおいては、さらに、前記突起部は、前記媒体の搬送方向と直交する方向に延在するように配設される。
【００１７】
本発明の更に他のプリンタにおいては、さらに、前記突起部は、前記媒体の搬送方向と直交する方向に間隔を空けて配設される。
【００１８】
本発明の更に他のプリンタにおいては、さらに、前記突起部は、前記媒体の搬送方向に関して前記印字ヘッドの両側に配設される。
【００１９】
【発明の実施の形態】
以下、本発明の実施の形態について図面を参照しながら詳細に説明する。
【００２０】
図３は本発明の実施の形態におけるプリンタの概略図である。
【００２１】
図において、１０はプリンタであり、媒体１８を挿入する媒体挿入口１９、媒体１８が搬送される媒体搬送路としての手前側媒体搬送路１１及び奥側媒体搬送路１２、該手前側媒体搬送路１１及び奥側媒体搬送路１２に沿って複数個配設された搬送ローラ１３及びプレッシャローラ１４、前記手前側媒体搬送路１１と奥側媒体搬送路１２との間の印字部２０に配設された印字ヘッド１５、該印字ヘッド１５の図示されないキャリッジ又は印字ヘッド１５に取り付けられ、該印字ヘッド１５の先端部に配設されたリボンガイド１６、並びに、印字部２０に配設されたプラテン１７を有する。
【００２２】
ここで、前記プリンタ１０は、銀行、郵便局、信用金庫等の金融機関において、預金通帳等の通帳に記帳するための通帳記帳機等である。なお、前記プリンタ１０は、通帳記帳機として独立に構成されたものであってもよいし、ＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置のような他の装置の一部として構成されたものであってもよい。
【００２３】
本実施の形態において、媒体１８はプリンタ１０によって印字される対象である。また、媒体１８の種別には、預金通帳等の通帳、及び、金融取引の明細が記入された顧客用の取引明細票として使用されたり、金融機関内部での業務用に使用されたり、プリンタ１０の保守等のために使用される単票がある。ここでは、多数枚の紙等を重ねた冊子状になっている媒体１８を通帳と呼び、一枚の紙等からなる媒体１８を単票と呼ぶ。なお、通常、単票には通帳を閉じたサイズの閉じサイズ単票と通帳を開いたサイズの開きサイズ単票とがある。
【００２４】
そして、前記搬送ローラ１３は、手前側媒体搬送路１１の上側ガイド１１ａ及び奥側媒体搬送路１２の上側ガイド１２ａに形成された孔部から手前側媒体搬送路１１及び奥側媒体搬送路１２内に外周部が突出するように配設され、図示されないステッピングモータ等の搬送用駆動源からの駆動力が、ギヤ、歯付きベルト等を介して伝達されることによって回転させられる。また、前記プレッシャローラ１４は、手前側媒体搬送路１１の下側ガイド１１ｂ及び奥側媒体搬送路１２の下側ガイド１２ｂに形成された孔部から手前側媒体搬送路１１及び奥側媒体搬送路１２内に外周部が突出するように配設され、前記搬送ローラ１３に押し付けられている。そして、前記媒体１８は、搬送ローラ１３とプレッシャローラ１４とによって上下から挟持されることにより搬送される。この場合、前記搬送ローラ１３は、同心度、外形寸法等が厳密に管理されて製造されたものであり、例えば、単位ステップ当たり１／１８０〔インチ〕の送り量で媒体１８をステップ搬送することができるようになっている。さらに、少なくとも搬送ローラ１３の表面は高摩擦部材で形成され、媒体１８に摩擦力を加えることができる。
【００２５】
また、前記印字ヘッド１５は、インクジェット方式、感熱方式、ワイヤドット方式、熱転写方式等の記録方式を採用するものであるが、いかなる記録方式であってもよい。そして、本実施の形態におけるプリンタ１０は、印字ヘッド１５が媒体１８の搬送方向（図における左右方向）と直交する方向（図における図面に垂直な方向）に移動する、すなわち、走査することによって、前記媒体１８上に印字を行うシリアルタイプのものである。この場合、前記印字ヘッド１５は、走査方向に延在する図示されないガイドシャフトにスライド可能に取り付けられた図示されないキャリッジに搭載されている。なお、前記ガイドシャフトは、プリンタ１０のフレームに固定されている。そして、媒体１８が所定位置にセットされると、前記キャリッジが媒体１８に沿って走査方向に移動し、印字ヘッド１５が前記媒体１８上に印字を行う。これにより、一行分の印字が終了すると、搬送ローラ１３とプレッシャローラ１４とが前記媒体１８を所定距離だけ搬送し、所定位置にセットして改行を行う。続いて、再び、前記キャリッジが媒体１８に沿って走査方向に移動し、印字ヘッド１５が前記媒体１８上に印字を行う。以降、同様の動作を繰り返すことによって、前記媒体１８上に所定行の印字を行う。
【００２６】
そして、本実施の形態におけるプリンタ１０は、通帳や単票のように、厚さの異なる媒体１８に印字を行うようになっている。特に、媒体１８が通帳である場合、開いたページによって厚さが異なったり、部分的に厚さが変わったりしてしまう。例えば、最初のページを開いた状態で通帳記帳機に挿入された通帳の場合、搬送方向に関する前半分は厚さが薄いが、折り目以降、すなわち、後半分は厚さが厚くなる。一方、最終のページを開いた状態で通帳記帳機に挿入された通帳の場合、搬送方向に関する前半分は厚さが厚いが、折り目以降、すなわち、後半分は厚さが薄くなる。
【００２７】
そこで、印字ヘッド１５が媒体１８に沿って走査方向に移動する際に、前記印字ヘッド１５と媒体１８との間隔を一定に保つ必要がある。そのために、前記キャリッジに媒体１８の上面を案内するリボンガイド１６が取り付けられている。なお、該リボンガイド１６は印字ヘッド１５に取り付けられていてもよい。前記リボンガイド１６は印字ヘッド１５の前後に亘（わた）って形成されることが望ましい。また、前記印字ヘッド１５がワイヤドット方式のものである場合、リボンガイド１６は、インクリボンと媒体１８とが接触しないようにする機能を有するものである。
【００２８】
また、前記媒体１８の裏面の位置を規制するためにプラテン１７が印字ヘッド１５に対向するように配設されている。前記プラテン１７は、図示されないプラテン上下動装置によって印字ヘッド１５に対して上下動させられ、媒体１８が印字部２０に到達すると、上方向に移動させられるようになっている。そして、前記プラテン１７は媒体１８を下方からリボンガイド１６に押し付ける。このように、プラテン１７とリボンガイド１６との間に媒体１８を挟み込むことによって、前記印字ヘッド１５の先端部と媒体１８との間隔を印字に適した所定距離に保つようになっている。
【００２９】
すなわち、前記プリンタ１０は、印字ヘッド１５の先端部又はリボンガイド１６の位置を基準にして、前記印字ヘッド１５と媒体１８との間隔を印字に適した所定距離に保つために、プラテン１７を移動させて、媒体１８の位置を規制する。前記印字ヘッド１５と媒体１８との間隔が印字に適した所定距離に保持されるので、印字ヘッド１５による媒体１８への印字が安定して行われる。
【００３０】
また、奥側媒体搬送路１２には、図示されない自動改ページ装置（ＡＴＰ：Ａｕｔｏ  Ｔｕｒｎ  Ｐａｇｅ）が配設されている。そして、前記媒体１８が通帳の場合であってページめくりが必要とされるときには、前記媒体１８は奥側媒体搬送路１２内に送り込まれ、前記自動改ページ装置によってページめくりが行われた後、媒体挿入口１９の方向に向けて搬送され、印字部２０において印字が行われる。
【００３１】
次に、前記手前側媒体搬送路１１の下側ガイド１１ｂ及び奥側媒体搬送路１２の下側ガイド１２ｂの構成について説明する。
【００３２】
図１は本発明の実施の形態における突起部が形成された下側ガイドの構成を示す図である。
【００３３】
図１に示されるように、手前側媒体搬送路１１の下側ガイド１１ｂにおけるプラテン１７側（図１における左側）の端部近傍には、上方に突出する突起部１１ｃが一体的に形成されている。該突起部１１ｃの媒体案内面（図１における上側面）は、下側ガイド１１ｂにおける突起部１１ｃ以外の部分の媒体案内面よりもリボンガイド１６の下面に近い位置、すなわち、上方に位置するようになっている。また、奥側媒体搬送路１２の下側ガイド１２ｂにおけるプラテン１７側（図１における右側）の端部近傍には、上方に突出する突起部１２ｃが一体的に形成されている。該突起部１２ｃの媒体案内面（図１における上側面）は、前記突起部１１ｃと同様に、下側ガイド１２ｂにおける突起部１２ｃ以外の部分の媒体案内面よりもリボンガイド１６の下面に近い位置、すなわち、上方に位置するようになっている。なお、手前側媒体搬送路１１の上側ガイド１１ａ及び奥側媒体搬送路１２の上側ガイド１２ａの媒体案内面（図１における下側面）は、リボンガイド１６の下面と同等の高さに位置するようになっている。
【００３４】
ここで、前記突起部１１ｃ及び突起部１２ｃは、それぞれが単一であって、媒体１８の搬送方向（図１における左右方向）と直交する方向（図１における図面に垂直な方向）に一様に延在するように形成されたものであってもよい。すなわち、それぞれが媒体１８の搬送方向と直交する方向に一直線状に伸びるように形成されたものであってもよい。さらに、突起部１１ｃ及び突起部１２ｃには、傾斜部や円弧部を形成することにより媒体１８の先端や後端が引っ掛かることがないようにしてある。
【００３５】
また、前記突起部１１ｃ及び突起部１２ｃは、それぞれが複数であって、媒体１８の搬送方向と直交する方向に間隔を空けて形成されていてもよい。すなわち、複数の突起部１１ｃ及び突起部１２ｃが媒体１８の搬送方向と直交する方向に不連続に形成されていてもよい。なお、この場合、隣接する突起部１１ｃ同士及び突起部１２ｃ同士の間隔は、媒体１８の幅（搬送方向と直交する方向の寸法）よりも十分に短いことが望ましい。
【００３６】
さらに、前記突起部１１ｃ及び突起部１２ｃは、下側ガイド１１ｂ及び下側ガイド１２ｂと一体的に形成されたものでなくてもよい。すなわち、下側ガイド１１ｂ及び下側ガイド１２ｂとは別個に形成されたものであって、下側ガイド１１ｂ及び下側ガイド１２ｂに取り付けられたものであってもよい。
【００３７】
次に、前記突起部１１ｃ及び突起部１２ｃの作用について説明する。
【００３８】
図４は本発明の実施の形態における突起部の作用を示す図である。
【００３９】
まず、媒体１８が一様な厚さである場合におけるプリンタ１０の動作について説明する。前記媒体１８が媒体挿入口１９に挿入されると、搬送用駆動源からの駆動力が搬送ローラ１３に伝達され、該搬送ローラ１３が回転させられる。そして、前記媒体１８は、図１に示されるように、搬送ローラ１３とプレッシャローラ１４とによって上下から挟持されることにより、手前側媒体搬送路１１内を印字部２０に向けて搬送される。
【００４０】
この場合、印字ヘッド１５は、媒体１８の幅方向における外側の位置における媒体迎え位置にある。そして、プラテン上下動装置は、印字ヘッド１５と連動し、該印字ヘッド１５が媒体１８の幅方向における外側の位置にあるときは、プラテン１７を下方向に移動させる、すなわち、プラテン１７を下降させるようになっている。そのため、図１に示されるように、プラテン１７とリボンガイド１６との間が広くなり、媒体１８がスムーズに通過することができる。
【００４１】
そして、媒体１８が所定位置に到達すると、搬送ローラ１３が回転を停止する。これにより、媒体１８の搬送方向に関する位置がセットされる。続いて、前記キャリッジが媒体１８に沿って該媒体１８の幅方向、すなわち、走査方向に移動し、印字ヘッド１５が前記媒体１８上の印字位置に到達する。そして、印字ヘッド１５が前記媒体１８上に移動すると、プラテン上下動装置は、印字ヘッド１５と連動し、プラテン１７を上方向に移動させる、すなわち、プラテン１７を上昇させるようになっている。そのため、媒体１８はプラテン１７とリボンガイド１６との間に挟み込まれ、前記印字ヘッド１５と媒体１８との間隔が印字に適した所定距離に保持されるようになっている。
【００４２】
なお、前記プラテン１７は、図示されないばね部材を介して支持されている。そのため、前記プラテン１７はばね部材の弾性力によって上方向に付勢されて媒体１８の下面に押し付けられることになる。そして、ばね部材によって押し上げられるプラテン１７と、リボンガイド１６との間に媒体１８を挟み込むことによって、前記印字ヘッド１５と媒体１８との間隔を印字に適した所定距離に保持するようになっている。これにより、媒体１８の厚さが変化しても前記プラテン１７が上下動することによって、媒体１８の厚さの変化を吸収することができる。
【００４３】
次に、図４に示されるように、媒体１８が通帳であって、例えば、最初のページを開いた状態で媒体挿入口１９に挿入された場合のように、搬送方向に関する前半分１８ｂは厚さが薄く、折り目以降の部分である後半分１８ａは厚さが厚い場合について説明する。
【００４４】
この場合、媒体１８の前半分１８ｂの印字箇所が前記印字ヘッド１５の先端部の真下に到達すると、図示されない駆動装置によってプラテン１７が上昇させられる。これにより、媒体１８の前半分１８ｂの上面と印字ヘッド１５の先端部との間隔が印字に適した所定距離に保持され、印字ヘッド１５による前記前半分１８ｂへの印字が安定して行われる。そして、ある行の印字が終了して次の行の印字を行うために改行する場合、媒体１８が更に奥の方向（図４における左方向）に向けて搬送され、媒体１８における前半分１８ｂと後半分１８ａとの境界部分、すなわち、通帳の折り目部分が、図４示されるように、プラテン１７の前端縁に到達する。媒体１８における後半分１８ａが前半分１８ｂよりも厚いので、通帳の折り目部分がプラテン１７の前端縁に到達すると、前記後半分１８ａの前端、すなわち、折り目側端がリボンガイド１６及びプラテン１７の手前側（図４における右側）端縁に当接する。
【００４５】
ここで、リボンガイド１６は、印字ヘッド１５又はキャリッジに取り付けられ、上方向に移動しないようになっている。そのため、後半分１８ａの折り目側端は、リボンガイド１６から図における下方向の力を受けて、下方に押し下げられる。しかし、本実施の形態においては、手前側媒体搬送路１１の下側ガイド１１ｂのプラテン１７側の端部近傍には、上方に突出する突起部１１ｃが一体的に形成されている。そのため、後半分１８ａの折り目側端近傍は前記突起部１１ｃによって上方向に移動させられているので、プラテン１７の手前側端縁に接触した点を中心として、図における時計回り方向の回転モーメントが媒体１８に発生することがない。したがって、媒体１８の前半分１８ｂにおける折り目近傍部分は、図における上方向の力を受けることがないので、プラテン１７の上面から浮き上がってしまうことがなく、プラテン１７とリボンガイド１６との間に挟み込まれた状態で、印字ヘッド１５によって安定した印字が行われる。
【００４６】
このように、媒体１８の前半分１８ｂにおける折り目近傍部分がプラテン１７の上面から浮き上がってしまうことがないので、空打現象が生じることがなく、空打音のような印字に伴う騒音が発生することがない。また、印字が薄くなることもなく、印字品質の低下を確実に防止することができる。
【００４７】
なお、図４においては、説明のために、リボンガイド１６の下面と媒体１８の前半分１８ｂの上面との間、及び、媒体１８の前半分１８ｂの下面とプラテン１７の上面との間が開いているようになっている。しかし、実際には、媒体１８の前半分１８ｂがプラテン１７とリボンガイド１６との間に挟み込まれているので、ボンガイド１６の下面と媒体１８の前半分１８ｂの上面、及び、媒体１８の前半分１８ｂの下面とプラテン１７の上面とは互いに密着している。
【００４８】
そして、媒体１８が更に奥の方向に向けて搬送され、媒体１８における後半分１８ａの印字箇所に印字が行われる場合にも、媒体１８の後半分１８ａがプラテン１７とリボンガイド１６との間に挟み込まれた状態となり、印字ヘッド１５によって安定した印字が行われる。この場合、前記プラテン１７は、ばね部材を介して支持され、該ばね部材の弾性力によって上方向に付勢されて媒体１８の下面に押し付けられる。そのため、媒体１８の厚さが前半分１８ｂと後半分１８ａとで相違していても、すなわち、媒体１８の厚さが通帳の折り目を境として変化しても、プラテン１７が媒体１８の下面を支持する高さは、媒体１８の厚さの変化を吸収することができる。
【００４９】
次に、媒体１８が通帳であって、例えば、ページめくりが行われた結果、最後のページを開いた状態で奥側媒体搬送路１２から媒体挿入口１９に向けて搬送される場合のように、前半分１８ｂは厚さが厚く、後半分１８ａは厚さが薄い媒体１８が逆方向に搬送されて印字が行われる場合について説明する。
【００５０】
プリンタ１０の媒体挿入口１９から挿入された媒体１８が通帳であって次のページに印刷を行う必要がある場合、前記媒体１８は奥側媒体搬送路１２内に送り込まれ、自動改ページ装置によってページめくりが行われるようになっている。そして、ページめくりが行われた媒体１８は、媒体挿入口１９に向けて逆方向に搬送されて印字部２０に送り込まれる。この場合、前記媒体１８は、前半分１８ｂ（媒体挿入口１９からみて後半分）は厚さが厚く、折り目以降の部分である後半分１８ａ（媒体挿入口１９からみて前半分）は厚さが薄くなっている、すなわち、図４に示される例と逆になっている。
【００５１】
そして、媒体１８の後半分１８ａの印字箇所が前記印字ヘッド１５の先端部の真下に到達すると、プラテン１７が上昇させられ、媒体１８の後半分１８ａの上面と印字ヘッド１５の先端部との間隔が印字に適した所定距離に保持されるので、印字ヘッド１５による前記後半分１８ａへの印字が安定して行われる。続いて、ある行の印字が終了して次の行の印字を行うために改行する場合、媒体１８が更に媒体挿入口１９の方向に向けて搬送され、媒体１８における通帳の折り目部分が、プラテン１７の後端縁に到達する。媒体１８における前半分１８ｂが後半分１８ａよりも厚いので、通帳の折り目部分がプラテン１７の後端縁に到達すると、前記前半分１８ｂの折り目側端がリボンガイド１６及びプラテン１７の後端縁に当接する。
【００５２】
ここで、リボンガイド１６は、前述されたように、印字ヘッド１５又はキャリッジに取り付けられ、上方向に移動しないようになっている。そのため、前半分１８ｂの折り目側端は、リボンガイド１６から下方向の力を受けて、下方に押し下げられる。しかし、奥側媒体搬送路１２の下側ガイド１２ｂのプラテン１７側の端部近傍には、上方に突出する突起部１２ｃが一体的に形成されている。そのため、前半分１８ｂの折り目側端近傍は前記突起部１１ｃによって上方向に移動させられているので、プラテン１７の手前側端縁に接触した点を中心として、反時計回り方向の回転モーメントが媒体１８に発生することがない。したがって、媒体１８の後半分１８ａにおける折り目近傍部分は、上方向の力を受けることがないので、プラテン１７の上面から浮き上がってしまうことがなく、プラテン１７とリボンガイド１６との間に挟み込まれた状態で、印字ヘッド１５によって安定した印字が行われる。
【００５３】
そして、媒体１８が媒体挿入口１９に向けて更に搬送され、媒体１８における前半分１８ｂの印字箇所に印字が行われる場合にも、媒体１８の前半分１８ｂがプラテン１７とリボンガイド１６との間に挟み込まれた状態となり、印字ヘッド１５によって安定した印字が行われる。この場合、前記プラテン１７は、ばね部材を介して支持され、該ばね部材の弾性力によって上方向に付勢されて媒体１８の下面に押し付けられる。そのため、媒体１８の厚さが通帳の折り目を境として変化しても、プラテン１７が媒体１８の下面を支持する高さは、媒体１８の厚さの変化を吸収することができる。
【００５４】
次に、媒体１８が通帳であって、例えば、新品の通帳がページを優しく開いた状態で通帳記帳機に挿入された場合のように、通帳の折り目部分の腰が強い場合について説明する。
【００５５】
プリンタ１０の媒体挿入口１９から挿入された媒体１８が通帳であって折り目部分の腰が強い場合、側面から見た折り目部分はＶ字状となり、媒体１８の前半分１８ｂにおける折り目近傍部分及び後半分１８ａにおける折り目近傍部分は弧を描くような形状となっている。そして、媒体１８の前半分１８ｂの印字箇所が前記印字ヘッド１５の先端部の真下に到達すると、プラテン１７が上昇させられ、媒体１８の前半分１８ｂの上面と印字ヘッド１５の先端部との間隔が印字に適した所定距離に保持されるので、印字ヘッド１５による前記前半分１８ｂへの印字が安定して行われる。
【００５６】
続いて、ある行の印字が終了して次の行の印字を行うために改行する場合、媒体１８が更に媒体挿入口１９の方向に向けて搬送され、媒体１８における通帳の折り目部分が手前側媒体搬送路１１の下側ガイド１１ｂの上に到達すると、通帳の折り目部分は前記突起部１１ｃによって上方に押し上げられる。ここで、リボンガイド１６は、前述されたように、印字ヘッド１５又はキャリッジに取り付けられ、上方向に移動しないようになっているので、媒体１８の前半分１８ｂにおける折り目近傍部分は、リボンガイド１６から下方向の力を受けて、下方に押し下げられる。また、媒体１８の後半分１８ａにおける折り目近傍部分は、手前側媒体搬送路１１の上側ガイド１１ａから下方向の力を受けて、下方に押し下げられる。そのため、前記折り目部分は、上下から挟まれて扱かれたような力を受け、腰が弱くなる。さらに、通帳の折り目部分がプラテン１７の前端縁に到達した状態でも、前記後半分１８ａにおける折り目近傍部分が前記突起部１１ｃによって上方向に移動させられているので、通帳の折り目部分は上方に押し上げられた状態となっている。そのため、媒体１８の前半分１８ｂにおける折り目近傍部分がプラテン１７の上面から浮き上がってしまうことがなく、プラテン１７とリボンガイド１６との間に挟み込まれた状態で、印字ヘッド１５によって安定した印字が行われる。
【００５７】
なお、媒体１８が逆方向に搬送されて印字が行われる場合の動作は、通帳の折り目部分及び折り目近傍部分を押し上げるのが、奥側媒体搬送路１２の下側ガイド１２ｂの突起部１２ｃである点を除いて、媒体挿入口１９から挿入された媒体１８に印字が行われる場合と実質的に同様であるので、その説明を省略する。
【００５８】
このように、本実施の形態においては、手前側媒体搬送路１１の下側ガイド１１ｂにおけるプラテン１７側の端部近傍には、上方に突出する突起部１１ｃが形成され、奥側媒体搬送路１２の下側ガイド１２ｂにおけるプラテン１７側の端部近傍には、上方に突出する突起部１２ｃが形成されている。
【００５９】
そのため、媒体１８が通帳であって折り目の前後で厚さが相違する場合、通帳の折り目部分がプラテン１７の端縁に到達しても、厚さが厚い部分が突起部１１ｃ又は突起部１２ｃによって上方向に移動させられるので、厚さが薄い部分がプラテン１７の上面から浮き上がってしまうことがない。これにより、媒体１８がプラテン１７とリボンガイド１６との間に挟み込まれた状態で、印字ヘッド１５によって安定した印字が行われるので、騒音の発生や印字品質の低下を確実に防止することができる。
【００６０】
また、媒体１８が通帳であって折り目部分の腰が強い場合、該折り目部分が突起部１１ｃ又は突起部１２ｃによって上方に押し上げられるので、媒体１８の折り目近傍部分がプラテン１７の上面から浮き上がってしまうことがない。これにより、媒体１８がプラテン１７とリボンガイド１６との間に挟み込まれた状態で、印字ヘッド１５によって安定した印字が行われるので、騒音の発生や印字品質の低下を確実に防止することができる。
【００６１】
なお、本発明は前記実施の形態に限定されるものではなく、本発明の趣旨に基づいて種々変形させることが可能であり、それらを本発明の範囲から排除するものではない。
【００６２】
【発明の効果】
以上詳細に説明したように、本発明によれば、簡単な構成によって、媒体が途中で厚さの変化するものであっても、また、媒体が通帳であって折り目部分の腰が強いものであっても、媒体がプラテンから浮き上がることを防止することができるので、印字を安定して行うことができ、騒音の発生や印字品質の低下を確実に防止することができる。
【図面の簡単な説明】
【図１】本発明の実施の形態における突起部が形成された下側ガイドの構成を示す図である。
【図２】従来のプリンタにおける通帳の浮き上がる状態を示す図である。
【図３】本発明の実施の形態におけるプリンタの概略図である。
【図４】本発明の実施の形態における突起部の作用を示す図である。
【符号の説明】
１０    プリンタ
１１    手前側媒体搬送路
１１ａ、１２ａ    上側ガイド
１１ｂ、１２ｂ    下側ガイド
１１ｃ、１２ｃ    突起部
１２    奥側媒体搬送路
１５    印字ヘッド
１６    リボンガイド
１７    プラテン
１８    媒体
【図１】
2005047075.tif 000003
【図２】
2005047075.tif 000004
【図３】
2005047075.tif 000005
【図４】
2005047075.tif 000006